(57)【要約】【課題】  室内の環境に応じて、換気するための換気経路を制御することができる、また、屋外の環境に応じて、給気及び排気する位置を制御することができる換気システムを得ること。【解決手段】  複数の部屋２〜８に設けられ、室外と前記各部屋２〜８との間で空気の出し入れを行う複数の換気装置１１〜１８と、前記複数の部屋２〜８内に配設され、室内空気に含まれる汚染物濃度を検出する複数のセンサ２１〜２５と、前記各センサ２１〜２５の検出値に基づいて各部屋２〜８の汚染物濃度を検知し、該汚染物濃度値を基に各部屋２〜８をそれぞれ換気部屋と給気部屋に分類し、該分類によって前記各部屋の換気装置をそれぞれ排気運転と給気運転とに設定し、該設定を基に換気風路を制御する制御手段９とを備えた。この場合、前記センサ２１〜２５を、揮発性有機化合物濃度を検出する揮発性有機化合物センサ２１ａ〜２５ａとすることができる。【選択図】        図１
2005201592.tif 000002
【特許請求の範囲】
【請求項１】
複数の部屋に設けられ、室外と前記各部屋との間で空気の出し入れを行う複数の換気装置と、
前記複数の部屋内に配設され、室内空気に含まれる汚染物濃度を検出する複数のセンサと、
前記各センサの検出値に基づいて各部屋の汚染物濃度を検知し、該汚染物濃度値を基に各部屋をそれぞれ換気部屋と給気部屋に分類し、該分類によって前記各部屋の換気装置をそれぞれ排気運転と給気運転とに設定し、該設定を基に換気風路を制御する制御手段とを備えたことを特徴とする換気システム。
【請求項２】
複数の部屋に設けられ、室外と前記各部屋との間で空気の出し入れを行う複数の換気装置と、
室外側に設けられ、室外空気に含まれる汚染物濃度を検出する複数のセンサと、
前記各センサの検出値に基づいて室外の汚染物濃度を検知し、該汚染物濃度値を基に各部屋をそれぞれ換気部屋と給気部屋に分類し、該分類によって前記各部屋の換気装置をそれぞれ排気運転と給気運転とに設定し、該設定を基に換気風路を制御する制御手段とを備えたことを特徴とする換気システム。
【請求項３】
前記換気装置が、給排気型換気装置、給気型換気装置および排気型換気装置のいずれかよりなることを特徴とする請求項１または２記載の換気システム。
【請求項４】
給気運転する換気装置の給気量の合計および排気運転する換気装置の排気量の合計がほぼ等しくなるようにしたことを特徴とする請求項１〜３のいずれかに記載の換気システム。
【請求項５】
手動により前記換気風路を設定することを特徴とする請求項１〜４のいずれかに記載の換気システム。
【請求項６】
手動による換気風路設定と自動による換気風路設定とを切替可能としたことを特徴とする請求項１〜４のいずれかに記載の換気システム。
【請求項７】
前記センサが、揮発性有機化合物濃度を検出する揮発性有機化合物センサであることを特徴とする請求項１〜６のいずれかに記載の換気システム。
【請求項８】
前記センサが、室温を検出する温度センサであることを特徴とする請求項１〜６のいずれかに記載の換気システム。
【請求項９】
前記センサが、湿度を検出する湿度センサであることを特徴とする請求項１〜６のいずれかに記載の換気システム。
【請求項１０】
前記センサが、臭気を検出する臭気センサであることを特徴とする請求項１〜６のいずれかに記載の換気システム。
【請求項１１】
前記センサが、ＣＯ2 濃度を検出するＣＯ2 センサであることを特徴とする請求項１〜６のいずれかに記載の換気システム。
【請求項１２】
前記センサが、有毒ガス濃度を検出する有毒ガスセンサであることを特徴とする請求項１〜６のいずれかに記載の換気システム。
【請求項１３】
前記センサが、可燃性ガス濃度を検出する可燃性ガスセンサであることを特徴とする請求項１〜６のいずれかに記載の換気システム。
【請求項１４】
前記センサが、煙含有量を検出する煙センサであることを特徴とする請求項１〜６のいずれかに記載の換気システム。
【請求項１５】
請求項７〜１４に記載の揮発性有機化合物センサ、温度センサ、湿度センサ、臭気センサ、ＣＯ2 センサ、有毒ガスセンサ、可燃性ガスセンサ及び煙センサの２以上を組み合わせてなる複合センサを備えたことを特徴とする請求項１〜６のいずれかに記載の換気システム。
【発明の詳細な説明】
【技術分野】
【０００１】
本発明は、住宅やオフィスビルなどの居住空間等において用いられる換気システムに関する。
【背景技術】
【０００２】
近年、住宅やオフィスビルなどの建築物の内装として使用される建材からホルムアルデヒドなどの揮発性有機化合物（以下、ＶＯＣという）が発生し、それが原因で居住者の健康に悪影響を及ぼすシックハウス症候群が問題となっている。
そこで、換気すべき複数の部屋のＶＡＶダンパに対して、１つずつ、順番にかつ循環して、所定時間だけ開度を大きく設定しては元に戻すという給気風量循環アップ制御により、空気質の悪化した部屋を特定し、換気を行う方法がある。給気風量循環アップ制御によると、ある部屋のＶＡＶダンパの開度を大きく設定したときに、排気用ファンを設けた部屋にある多機能センサの検出値が急激に変化した場合、その部屋の空気が汚染されており、その汚染空気が多機能センサで検出されたこととなる。従って、該当部屋のＶＡＶダンパの開度をさらに大きく設定することで、該当部屋の汚染空気を迅速に屋外へ排出することができる（例えば、特許文献１参照）。
【０００３】
【特許文献１】特開平８−２１９５０７号公報（第４〜５頁、図１〜図３）
【発明の開示】
【発明が解決しようとする課題】
【０００４】
従来の換気システムでは、給気口および排気口が決まった位置に備え付けられていたため、例えば、給気口が設けられている部屋がＶＯＣなどで汚染されていた場合、換気を行うことによって、前記給気口が設けられている部屋の汚染空気が、換気経路あるいは排気口が設けられた廊下や部屋、サニタリールームなどへ分散してしまい、汚染空気が拡散してしまうという問題があった。
【０００５】
また、例えば、給気口の室外側の空気が、ＶＯＣなどで汚染された空気である場合、室外から汚染空気を室内へ取り込んでしまうため、室内環境を悪化させてしまうという問題があった。
【０００６】
本発明は上記のような課題を解決するためになされたもので、室内の環境に応じて、換気するための換気経路を制御することができる換気システムを得るものである。
また、屋外の環境に応じて、給気および排気する位置を制御することができる換気システムを得るものである。
【課題を解決するための手段】
【０００７】
本発明に係る換気システムは、複数の部屋に設けられ、室外と前記各部屋との間で空気の出し入れを行う複数の換気装置と、前記複数の部屋内に配設され、室内空気に含まれる汚染物濃度を検出する複数のセンサと、前記各センサの検出値に基づいて各部屋の汚染物濃度を検知し、該汚染物濃度値を基に各部屋をそれぞれ排気部屋と給気部屋に分類し、該分類によって前記各部屋の換気装置をそれぞれ排気運転と給気運転とに設定し、該設定を基に換気風路を制御する制御手段とを備えたものである。
【０００８】
また、本発明に係る換気システムは、複数の部屋に設けられ、室外と前記各部屋との間で空気の出し入れを行う複数の換気装置と、室外側に設けられ、室外空気に含まれる汚染物濃度を検出する複数のセンサと、前記各センサの検出値に基づいて室外の汚染物濃度を検知し、該汚染物濃度値を基に各部屋をそれぞれ換気部屋と給気部屋に分類し、該分類によって前記各部屋の換気装置をそれぞれ排気運転と給気運転とに設定し、該設定を基に換気風路を制御する制御手段とを備えたものである。
【発明の効果】
【０００９】
本発明は、空気中に含まれるＶＯＣ濃度、ＣＯ2 濃度、ＣＯなどの有毒ガス濃度、臭気、都市ガスやＬＰガス等の可燃性ガス濃度、タバコなどの煙の含有量や空気の温度、湿度に応じて、換気を行うための給気位置および排気位置を制御することができる。このため、ある居室に存在する高濃度のＶＯＣ、ＣＯ2 、有毒ガス、臭気、可燃性ガス、煙などの汚染物質を含んだ空気や、高温、低温、高湿、低湿など環境が極端に異なる空気が他の部屋へ拡散することを抑制することができる。
また、高濃度のＶＯＣ、ＣＯ2 、有毒ガス、臭気、可燃性ガス、煙などの汚染物質を含んだ空気や、高温、低温、高湿、低湿など環境が極端に異なる空気が、室外から給気されることを抑制することができる。
【発明を実施するための最良の形態】
【００１０】
［実施の形態１］
図１は、本発明を実施するための実施の形態１における換気システムが設置されている気密住宅の間取りを示す説明図である。図１において、この気密住宅は、例えば１ＬＤＫ型の住宅であり、図の上方向に玄関１があり、玄関１に通じる廊下２を中心として、図の右側に、通路３ａで連通するリビングルーム３と台所４が配置され、図の左側に、それぞれ独立して、居室５、脱衣室６、浴室７、トイレ８が配置されている。廊下２とリビングルーム３との間は第１のドア１０ａによって仕切られ、廊下２と居室５との間は第２のドア１０ｂによって仕切られ、廊下２と脱衣室６との間は第３のドア１０ｃによって仕切られ、脱衣室６と浴室７及びトイレ８との間はそれぞれ第４、第５のドア１０ｄ、１０ｅによって仕切られており、前記それぞれのドア１０ａ〜１０ｅには通気経路を確保するための通気がらりが設けられている。なお、前記第１〜第５のドア１０ａ〜１０ｅは、それぞれが引き戸であってもよい。
【００１１】
前記気密住宅において、換気を行うために、廊下２の突き当たりの壁部に給排気可能な第１の給排気型換気装置１１が設置され、リビングルーム３の壁部に給気専用の第１の給気型換気装置１２、排気専用の第１の排気型換気装置１３が設置され、台所４の壁部に給排気可能な第２の給排気型換気装置１４が設置されている。また、居室５の壁部に給排気可能な第３の給排気型換気装置１５が設置され、脱衣室６の壁部に給排気可能な第４の給排気型換気装置１６が設置され、浴室７の壁部に排気専用の第２の排気型換気装置１７が設置され、トイレ８の壁部に排気専用の第３の排気型換気装置１８が設置されている。ここで、単純化するために、前記の各換気装置１１から１８は給気量および排気量をほぼ同じとし、給気運転する換気装置の台数および排気運転する換気装置の台数をほぼ等しくすることで、給排気量のバランスを保つことができる。
【００１２】
また、リビングルーム３には、リビングルーム３内のＶＯＣ（揮発性有機化合物）濃度を検出するための第１のＶＯＣセンサ２１ａが設けられており、第１の給排気型換気装置１１には廊下２内のＶＯＣ濃度を検出するための第２のＶＯＣセンサ２２ａが搭載され、第２の給排気型換気装置１４には台所４内のＶＯＣ濃度を検出するための第３のＶＯＣセンサ２３ａが搭載され、第３の給排気型換気装置１５には居室５内のＶＯＣ濃度を検出するための第４のＶＯＣセンサ２４ａが搭載され、第４の給排気型換気装置１６には脱衣室６内のＶＯＣ濃度を検出するための第５のＶＯＣセンサ２５ａが搭載されている。また、廊下２の壁部には、第１〜第５のＶＯＣセンサ２１ａ〜２５ａによるＶＯＣ濃度に応じて、第１〜第４の給排気型換気装置１１、１４、１５、１６、第１の給気型換気装置１２および第１〜第３の排気型換置１３、１７、１８の運転制御を行う制御装置９が設けられている。
【００１３】
次に、図２を参照して、本実施の形態１に係る換気システムの構成について説明する。本実施の形態１に係る換気システムは、図２に示すように、複数の部屋（廊下２、リビングルーム３、台所４、居室５、脱衣室６、浴室７、トイレ８）に設置された第１〜第４の給排気型換気装置１１、１４、１５、１６、第１の給気型換気装置１２および第１〜第３の排気型換気装置１３、１７、１８と、部屋および換気装置に設置されて室内のＶＯＣ濃度を監視する第１〜第５のＶＯＣセンサ２１ａ〜２５ａ、および各換気装置１１〜１８の運転を制御する制御装置９から構成されている。制御装置９は、複数の換気装置１１〜１８の運転を制御するための制御部３１と、接続されている換気装置１１〜１８およびＶＯＣセンサ２１ａ〜２５ａの位置や接続されている換気装置１１〜１８の換気能力等を記憶するためのメモリ３２と、各換気装置１１〜１８の給気運転および排気運転を手動により設定するため、および手動設定モードとセンサ等による自動換気経路設定モードを切り替え操作するための操作部３３と、現在の換気状況や換気モード、時刻等を表示するための表示部３４から構成されている。
【００１４】
次に、図３を参照して、制御部３１の動作について説明する。制御部３１は、入力された複数のＶＯＣセンサ２１ａ〜２５ａのＶＯＣ濃度に応じた信号を基に、各部屋のＶＯＣ濃度を検出する（ステップＳー１）。前記検出値を基に、給気運転する換気装置の給気量の合計および排気運転する換気装置の排気量の合計がほぼ等しくなるように、各部屋を環境の悪い部屋（排気部屋）あるいは環境の良い部屋（給気部屋）に分類する（ステップＳー２）。前記分類によって、各部屋の換気装置を排気運転あるいは給気運転に設定する（ステップＳー３）。前記設定を基に、各換気装置への出力信号を生成し（ステップＳー４）、これによって各換気装置の運転を制御する。
【００１５】
次に、図４を参照して、本実施の形態１の具体的動作について説明する。例えば、図４に示すように、リビングルーム３および居室５のＶＯＣ濃度が高くなった場合を考える。このとき、各部屋に設けられた第１〜第５のＶＯＣセンサ２１ａ〜２５ａのうち、リビングルーム３および居室５に設けられた第１のＶＯＣセンサ２１ａおよび第４のＶＯＣセンサ２４ａによって高いＶＯＣ濃度を検出する。これにより、制御装置９において、リビングルーム３および居室５を環境の悪い部屋に、廊下２、台所４および脱衣室６を環境の良い部屋に分類する。次に、前記分類を基に、環境の悪いリビングルーム３および居室５に設置された換気装置を排気運転させるために、第１の給気型換気装置１２を停止、第１の排気型換気装置１３を運転、第３の給排気型換気装置１５を排気運転に設定する。また、環境の良い廊下２、台所４、脱衣室６に設定された換気装置を給気運転させるために、第１、第２、第４の給排気型換気装置１１、１４、１６を給気運転に設定する。また、浴室７およびトイレ８を常時換気するために、第２、第３の排気型換気装置１７、１８を運転に設定する。前記運転設定を行った場合の給排気の様子を、図４中の矢印（実線）で示す。
【００１６】
前記運転設定を行うことにより、図４中の矢印（破線）で示すような換気経路が作られる。
すなわち、第２の給排気型換気装置１４よりＡ方向に給気された空気は環境の良い台所４に入り、ここからＢ方向に流れて環境の悪いリビングルーム３に至り、第１の排気型換気装置１３よりＣ方向に排気する。また、第４の給排気型換気装置１６よりＤ方向に給気された空気は環境の良い脱衣室６に入り、ここから環境の良い廊下２に至り、さらに、第１の給排気型換気装置１１からＦ方向に給気された空気は環境の良い廊下２に至り、これらの空気はそれぞれ環境の悪いリビングルーム３及び居室５に分かれてＧ、Ｈ方向に流れ、第１の排気型換気装置１３及び第３の給排気型換気装置１５から、Ｃ、Ｉ方向に排気する。また、第４の給排気型換気装置１６からＤ方向に給気された空気は、浴室７およびトイレ８に至り、それぞれに取り付けられた第２の排気型換気装置１７及び第３の排気型換気装置１８から、Ｊ、Ｋ方向に排気される。
こうして、ＶＯＣ濃度の低い部屋から高い部屋への空気の流れを作ることができ、ＶＯＣ濃度の高い空気が他の部屋へ拡散することなく、効果的かつ迅速に室外に排気することができる。
【００１７】
［実施の形態２］
実施の形態１では、各部屋のＶＯＣ濃度を検出するためにＶＯＣセンサを設けたが、本実施の形態では複数の部屋内に室温を監視し、室温に応じた検出値を出力する温度センサを備えたもので、高温あるいは低温の空気が室内の他の部屋などに拡散することを防ぎ、使用者に対する温風感および冷風感を緩和することができる。
【００１８】
例えば、図５（ａ）を参照して、夏季設定の場合について説明する。なお、図１〜図４と同一部分には同じ符号を付し、説明を省略する（以下、同様）。
図５（ａ）に示すように、例えば、リビングルーム３および居室５の室温が高くなった場合を考える。このとき、各部屋に設けられた第１〜第５の温度センサ２１ｂ〜２５ｂのうち、リビングルーム３および居室５に設けられた第１の温度センサ２１ｂおよび第４の温度センサ２４ｂで高い温度を検出する。これにより、制御装置９において、リビングルーム３および居室５を環境の悪い部屋に、廊下２、台所４および脱衣室６を環境の良い部屋に分類する。次に、前記分類を基に、実施の形態１と同様に、第１〜第４の給排気型換気装置１１、１４、１５、１６の給気運転／排気運転、および第１の給気型換気装置１２と第１〜第３の排気型換気装置１３、１７、１８の運転／停止の設定を行う。前記運転設定を行った場合の給排気の様子を、図５（ａ）中の矢印（実線）で示す。
【００１９】
前記運転設定を行うことにより、図５（ａ）中に破線の矢印で示すような換気経路が作られる。これによって、温度の低い部屋から高い部屋に空気の流れを作ることができ、温度の高い空気が他の部屋に拡散することなく、効果的かつ迅速に室外に排気することができ、冷房効率向上による省エネ性改善に効果がある。
【００２０】
また、例えば、図５（ｂ）を参照して、冬季設定の場合について説明する。図５（ｂ）に示すように、廊下２、リビングルーム３および居室５の室温が高くなった場合を考える。このとき、各部屋に設けられた第１〜第５の温度センサ２１ｂ〜２５ｂのうち、廊下２、リビングルーム３および居室５に設けられた第１の温度センサ２１ｂ、第２の温度センサ２２ｂおよび第４の温度センサ２４ｂで高い温度を検出する。これにより、制御装置９において、廊下２、リビングルーム３および居室５を環境の良い部屋に、台所４および脱衣室６を環境の悪い部屋に分類する。次に、前記分類を基に、実施の形態１と同様に、第１〜第４の給排気型換気装置１１、１４、１５、１６の給気運転／排気運転、および第１の給気型換気装置１２と第１〜第３の排気型換気装置１３、１７、１８の運転／停止の設定を行う。前記運転を行った場合の給排気の様子を、図５（ｂ）中の矢印（実線）で示す。
【００２１】
前記運転設定を行うことにより、図５（ｂ）中に破線の矢印で示すような換気経路が作られる。これによって、温度の高い部屋から低い部屋に空気の流れを作ることができ、温度の低い空気を他の部屋に拡散することなく、効果的かつ迅速に室外に排気することができ、暖房効率向上による省エネ性改善に効果がある。
【００２２】
［実施の形態３］
実施の形態１では、各部屋のＶＯＣ濃度を検出するためにＶＯＣセンサを設けたが、本実施の形態では複数の部屋内に室内空気の湿度を監視し、湿度に応じた検出値を出力する湿度センサを備えたもので、高湿あるいは低湿の空気が室内の他の部屋などに拡散することを防ぎ、高湿環境下でのカビの繁殖などを防ぎ、室内環境をより快適に保つことができる。
【００２３】
例えば図６を参照して、本実施の形態３について説明する。高湿を防ぐ設定とし、例えば、図６に示すように、リビングルーム３および居室５の湿度が高くなった場合を考える。
このとき、各部屋に設けられた第１〜第５の湿度センサ２１ｃ〜２５ｃのうち、リビングルーム３および居室５に設けられた第１の湿度センサ２１ｃおよび第４の湿度センサ２４ｃで高い湿度を検出する。これにより、制御装置９において、リビングルーム３および居室５を環境の悪い部屋に、廊下２、台所４および脱衣室６を環境の良い部屋に分類する。次に、前記分類を基に、実施の形態１と同様に、第１〜第４の給排気型換気装置１１、１４、１５、１６の給気運転／排気運転、および第１の給気型換気装置１２と第１〜第３の排気型換気装置１３、１７、１８の運転／停止の設定を行う。前記運転設定を行った場合の給排気の様子を、図６中の矢印（実線）で示す。前記運転設定を行うことにより、図６中に破線の矢印で示すような換気経路が作られる。これによって、低湿部屋から高湿部屋へ空気の流れを作ることができ、高湿な空気を他の部屋へ拡散することなく、効果的かつ迅速に室外へ排気することができる。
【００２４】
［実施の形態４］
実施の形態１では、各部屋のＶＯＣ濃度を検出するためにＶＯＣセンサを設けたが、本実施の形態では複数の部屋内に室内空気に含まれる臭気を監視し、臭気濃度の応じた検出値を出力する臭気センサを備えたもので、臭気濃度の高い空気が室内の他の部屋などに拡散することを防ぐことができ、室内環境をより快適に保つことができる。
【００２５】
例えば図７を参照して、本実施の形態４について説明する。図７に示すように、例えば、リビングルーム３および居室５の臭気濃度が高くなった場合を考える。このとき、各部屋に設けられた第１〜第５の臭気センサ２１ｄ〜２５ｄのうち、リビングルーム３および居室５に設けられた第１の臭気センサ２１ｄおよび第４の臭気センサ２４ｄで高濃度の臭気を検出する。これにより、制御装置９において、リビングルーム３および居室５を環境の悪い部屋に、廊下２、台所４および脱衣室６を環境の良い部屋に分類する。次に、前記分類を基に、実施の形態１と同様に、第１〜第４の給排気型換気装置１１、１４、１５、１６の給気運転／排気運転、および第１の給気型換気装置１２と第１〜第３の排気型換気装置１３、１７、１８の運転／停止の設定を行う。前記運転設定を行った場合の給排気の様子を、図７中の矢印（実線）で示す。前記運転設定を行うことにより、図７中に破線の矢印で示すような換気経路が作られる。これによって、臭気濃度の低い部屋から高い部屋への空気の流れを作ることができ、臭気濃度の高い空気が他の部屋へ拡散することなく、効果的かつ迅速に室外へ排気することができる。
【００２６】
［実施の形態５］
実施の形態１では、各部屋のＶＯＣ濃度を検出するためにＶＯＣセンサを設けたが、本実施の形態では複数の部屋内に室内空気に含まれるＣＯ2 を監視し、ＣＯ2 濃度に応じた
検出値を出力するＣＯ2 センサを備えたもので、ＣＯ2 濃度の高い空気が室内の他の部屋などに拡散することを防ぐことができ、室内環境をより快適に保つことができる。
【００２７】
例えば図８を参照して、本実施の形態５について説明する。図８に示すように、例えば、リビングルーム３および居室５のＣＯ2 濃度が高くなった場合を考える。このとき、各部屋に設けられた第１〜第５のＣＯ2 センサ２１ｅ〜２５ｅのうち、リビングルーム３および居室５に設けられた第１のＣＯ2 センサ２１ｅおよび第４のＣＯ2 センサ２４ｅで高濃度のＣＯ2 を検出する。これにより、制御装置９において、リビングルーム３および居室５を環境の悪い部屋に、廊下２、台所４および脱衣室６を環境の良い部屋に分類する。次に、前記分類を基に、実施の形態１と同様に、第１〜第４の給排気型換気装置１１、１４、１５、１６の給気運転／排気運転、および第１の給気型換気装置１２と第１〜第３の排気型換気装置１３、１７、１８の運転／停止の設定を行う。前記運転設定を行った場合の給排気の様子を、図８中の矢印（実線）で示す。前記運転設定を行うことにより、図８中に破線の矢印で示すような換気経路が作られる。これによって、ＣＯ2 濃度の低い部屋から高い部屋への空気の流れを作ることができ、ＣＯ2 濃度の高い空気を他の部屋へ拡散することなく、効果的にかつ迅速に室外へ排気することができる。
【００２８】
［実施の形態６］
実施の形態１では、各部屋のＶＯＣ濃度を検出するためにＶＯＣセンサを設けたが、本実施の形態では複数の部屋内に室内空気に含まれるＣＯなどの有毒ガスを監視し、有毒ガス濃度に応じた検出値を出力する有毒ガスセンサを備えたもので、有毒ガス濃度の高い空気が室内の他の部屋などに拡散することを防ぐことができる。
【００２９】
例えば図９を参照して、本実施の形態６について説明する。図９に示すように、例えば、リビングルーム３および居室５の有毒ガス濃度が高くなった場合を考える。このとき、各部屋に設けられた第１〜第５の有毒ガスセンサ２１ｆ〜２５ｆのうち、リビングルーム３および居室５に設けられた第１の有毒ガスセンサ２１ｆおよび第４の有毒ガスセンサ２４ｆによって高濃度の有毒ガスを検出する。これにより、制御装置９において、リビングルーム３および居室５を環境の悪い部屋に、廊下２、台所４および脱衣室６を環境の良い部屋に分類する。次に、前記分類を基に、実施の形態１と同様に、第１〜第４の給排気型換気装置１１、１４、１５、１６の給気運転／排気運転、および第１の給気型換気装置１２と第１〜第３の排気型換気装置１３、１７、１８の運転／停止の設定を行う。前記運転設定を行った場合の給排気の様子を、図９中の矢印（実線）で示す。前記運転設定を行うことにより、図９中に破線の矢印で示すような換気経路が作られる。これによって、有毒ガス濃度の低い部屋から高い部屋への空気の流れを作ることができ、ＣＯなどの有毒ガス濃度の高い空気が他の部屋へ拡散することなく、効果的かつ迅速に室外へ排気することができる。
【００３０】
［実施の形態７］
実施の形態１では、各部屋のＶＯＣ濃度を検出するためにＶＯＣセンサを設けたが、本実施の形態では複数の部屋内に室内空気に含まれる都市ガスやＬＰガスなどの可燃性ガスを監視し、可燃性ガス濃度に応じた検出値を出力する可燃性ガスセンサを備えたもので、可燃性ガス濃度の高い空気が室内の他の部屋などに拡散することを防ぐことができる。
【００３１】
例えば図１０を参照して、本実施の形態７について説明する。図１０に示すように、例えば、リビングルーム３および居室５の可燃性ガス濃度が高くなった場合を考える。このとき、各部屋に設けられた第１〜第５の可燃性ガスセンサ２１ｇ〜２５ｇのうち、リビングルーム３および居室５に設けられた第１の可燃性ガスセンサ２１ｇおよび第４の可燃性ガスセンサ２４ｇで高濃度の可燃性ガスを検出する。これにより、制御装置９において、リビングルーム３および居室５を環境の悪い部屋に、廊下２、台所４および脱衣室６を環境の良い部屋に分類する。次に、前記分類を基に、実施の形態１と同様に、第１〜第４の給排気型換気装置１１、１４、１５、１６の給気運転／排気運転、および第１の給気型換気装置１２と第１〜第３の排気型換気装置１３、１７、１８の運転／停止の設定を行う。前記運転設定を行った場合の給排気の様子を、図１０中の矢印（実線）で示す。前記運転設定を行うことにより、図１０中に破線の矢印で示すような換気経路が作られる。これによって、可燃性ガス濃度の低い部屋から高い部屋への空気の流れを作ることができ、都市ガスやＬＰガスなどの可燃性ガス濃度の高い空気が他の部屋へ拡散することなく、効果的にかつ迅速に室外へ排気することができる。
【００３２】
［実施の形態８］
実施の形態１では、各部屋のＶＯＣ濃度を検出するためにＶＯＣセンサを設けたが、本実施の形態では複数の部屋内に室内空気に含まれるタバコなどの煙を監視し、室内空気に含まれる煙含有量に応じた検出値を出力する煙センサを備えたもので、煙含有量の高い空気が室内の他の部屋などに拡散することを防ぐことができる。
【００３３】
例えば図１１を参照して、本実施の形態８について説明する。図１１に示すように、例えば、リビングルーム３および居室５の煙含有量が高くなった場合を考える。このとき、各部屋に設けられた第１〜第５の煙センサ２１ｈ〜２５ｈのうち、リビングルーム３および居室５に設けられた第１の煙センサ２１ｈおよび第４の煙センサ２４ｈで高い煙含有量を検出する。これにより、制御装置９において、リビングルーム３および居室５を環境の悪い部屋に、廊下２、台所４および脱衣室６を環境の良い部屋に分類する。次に、前記分類を基に、実施の形態１と同様に、第１〜第４の給排気型換気装置１１、１４、１５、１６の給気運転／排気運転、および第１の給気型換気装置１２と第１〜第３の排気型換気装置１３、１７、１８の運転／停止の設定を行う。前記運転設定を行った場合の給排気の様子を、図１１中の矢印（実線）で示す。前記運転設定を行うことにより、図１１中に破線の矢印で示すような換気経路が作られる。これによって、煙含有量の低い部屋から高い部屋への空気の流れを作ることができ、タバコなどの煙の含有量の高い空気が他の部屋へ拡散することなく、効果的かつ迅速に室外へ排気することができる。
【００３４】
［実施の形態９］
実施の形態１では、各部屋のＶＯＣ濃度を検出するためにＶＯＣセンサを設けたが、本実施の形態では、複数の部屋内に、実施の形態１〜８に記載の第１〜第５のＶＯＣセンサ２１ａ〜２５ａ、第１〜第５の温度センサ２１ｂ〜２５ｂ、第１〜第５の湿度センサ２１ｃ〜２５ｃ、第１〜第５の臭気センサ２１ｄ〜２５ｄ、第１〜第５のＣＯ2 センサ２１ｅ〜２５ｅ、ＣＯなどの有毒ガスを検出する第１〜第５の有毒ガスセンサ２１ｆ〜２５ｆ、都市ガスやＬＰガスなどの可燃性ガスを検出する第１〜第５の可燃性ガスセンサ２１ｇ〜２５ｇ、第１〜第５の煙センサ２１ｈ〜２５ｈの複数の組合せからなる複合センサを備えたもので、各センサの出力値を総合し、目的に反した空気が室内の他の部屋などに拡散することを妨げる。
【００３５】
例えば図１２を参照して、本実施の形態９について説明する。本実施の形態９では、第１〜第５の煙センサ２１ｈ〜２５ｈと、都市ガスやＬＰガスなどの可燃性ガスを検出する第１〜第５の可燃性ガスセンサ２１ｇ〜２５ｇとを組み合わせた複合センサ２１〜２５を使用した場合について考える。図１２に示すように、例えば、台所４で可燃性ガスのガス漏れ、およびリビングルーム３で喫煙による室内空気中の煙含有量が高くなった場合、換気経路によっては、台所４からリビングルーム３へ可燃性ガスが流出し、ガス爆発などが想定される。
【００３６】
このとき、各部屋に設けられた複合センサ２１〜２５のうち、リビングルーム３に設けられた複合センサ２１を構成する煙センサ２１ｈで高い煙含有量を検出し、また、台所４に設けられた複合センサ２３を構成する可燃性ガスセンサ２３ｇで高い可燃性ガス濃度を検出する。これにより制御装置９において、リビングルーム３および台所４を環境の悪い部屋に、廊下２、居室５および脱衣室６を環境の良い部屋に分類する。次に、前記分類を基に、実施の形態１と同様に、第１〜第４の給排気型換気装置１１、１４、１５、１６の給気運転／排気運転、および第１の給気型換気装置１２と第１〜第３の排気型換気装置１３、１７、１８の運転／停止の設定を行う。前記運転設定を行った場合の給排気の様子を、図１２中の矢印（実線）で示す。これによって、図１２中に破線の矢印で示すような換気経路が作られ、煙含有量および可燃性ガス濃度の低い部屋から高い部屋への空気の流れを作ることができ、タバコなどの煙および可燃性ガスを含んだ空気が他の部屋へ拡散することなく、効果的に室外へ排気することができ、また、台所４からリビングルーム３へ可燃性ガスが流出するのを防ぐことができる。
【００３７】
［実施の形態１０］
実施の形態１では、ＶＯＣ濃度を検出するために第１〜第５のＶＯＣセンサ２１ａ〜２５ａを設け、第１のＶＯＣセンサ２１ａをリビングルーム３内に配置し、第１〜第４の給排気型換気装置１１、１４、１５、１６の室内側に第２〜第５のＶＯＣセンサ２２ａ〜２５ａを配置したが、本実施の形態１０では、図１３に示すように、第１〜第４の給排気型換気装置１１、１４、１５、１６および第１の給気型換気装置１２の換気口の室外側に、室外空気に含まれるＶＯＣ濃度を監視し、室外空気に含まれるＶＯＣ濃度に応じた検出値を出力するようにそれぞれ第２〜第５のＶＯＣセンサ２２ａ〜２５ａと第１のＶＯＣセンサ２１ａを配置したので、ＶＯＣ濃度の高い空気が室外から室内へ給気されることを防ぎ、室内環境をより快適に保つことができる。
【００３８】
例えば、図１３を参照して説明する。図１３に示すように、例えば、上方向の室外空気のＶＯＣ濃度が高い場合を考える。このとき、各換気口の室外側に設けられた第１〜第５のＶＯＣセンサ２１ａ〜２５ａのうち、台所４および脱衣室６に設けられた第２、第４の給排気型換気装置１４、１６の換気口の室外側に設けられた第３、第５のＶＯＣセンサ２３ａ、２５ａで高いＶＯＣ濃度を検出する。これにより、制御装置９において、台所４および脱衣室６を環境の悪い部屋に、廊下２、リビングルーム３および居室５を環境の良い部屋に分類する。次に、前記分類を基に、実施の形態１と同様に、第１〜第４の給排気型換気装置１１、１４、１５、１６の給気運転／排気運転、および第１の給気型換気装置１２と第１〜第３の排気型換気装置１３、１７、１８の運転／停止の設定を行う。前記運転設定を行った場合の給排気の様子を、図１３中の矢印（実線）で示す。
【００３９】
前記運転設定を行うことにより、図１３中の矢印（破線）で示すような換気経路が作られる。
すなわち、第１の給気型換気装置１２からＬ方向に給気された空気は環境の良いリビングルーム３に入り、ここからＭ方向に流れて環境の悪い台所４に至り、第２の給排気型換気装置１４からＮ方向に排気する。また、第３の給排気型換気装置１５からＯ方向に給気された空気は環境の良い居室５に入り、ここからＰ方向に流れて廊下２に至り、Ｑ方向に流れてリビングルーム３でＭ方向に流れる空気流と合流し、Ｒ方向に流れて環境の悪い脱衣室６に至る。第１の給排気型換気装置１１よりＳ方向に給気された空気は環境の良い廊下２に至り、さらにＱ、Ｒ方向に流れてリビングルーム３、脱衣室６に至り、リビングルーム３ではＭ方向に流れる空気流と合流し、脱衣室６に至った空気流は第４の給排気型換気装置１６、及び浴室７およびトイレ８に至り、それぞれに取り付けられた第２の排気型換気装置１７及び第３の排気型換気装置１８によってＴ、Ｕ、Ｖ方向に排気される。
前記運転設定を行うことにより、ＶＯＣ濃度の低い外気を選択して室内へ給気することができ、外気による室内環境の汚染を防ぐことができる。
【００４０】
［実施の形態１１］
実施の形態１０では、ＶＯＣ濃度を検出するためにＶＯＣセンサを換気口の室外側に配置したが、本実施の形態では換気口の室外側に、室外温度を監視し、室外気温に応じた検出値を出力するように配置した温度センサを備えたもので、高温あるいは低温の空気が室外から室内に給気されることを防ぎ、使用者に対する温風感および冷風感を緩和することができる。
【００４１】
例えば、図１４（ａ）を参照して、夏季設定の場合について説明する。図１４（ａ）に示すように、例えば、上方向の室外気温が高い場合を考える。このとき、各換気口の室外側に設けられた第１〜第５の温度センサ２１ｂ〜２５ｂのうち、台所４および脱衣室６に設けられた第２、第４の給排気型換気装置１４、１６の換気口の室外側に設けられた第３、第５の温度センサ２３ｂ、２５ｂで高い温度を検出する。これにより、制御装置９において、台所４および脱衣室６を環境の悪い部屋に、廊下２、リビングルーム３および居室５を環境の良い部屋に分類する。次に、前記分類を基に、実施の形態１０と同様に、第１〜第４の給排気型換気装置１１、１４、１５、１６の給気運転／排気運転、および第１の給気型換気装置１２と第１〜第３の排気型換気装置１３、１７、１８の運転／停止の設定を行う。前記運転設定を行った場合の給排気の様子を、図１４（ａ）中の矢印（実線）で示す。前記運転設定を行うことにより、温度の低い外気を選択して室内へ供給することができ、外気による室温の上昇を緩和することができ、冷房効率向上による省エネ性改善が可能である。
【００４２】
また、例えば、図１４（ｂ）を参照して、冬季設定の場合について説明する。図１４（ｂ）に示すように、例えば、上方向の室外気温が高い場合を考える。このとき、各換気口の室外側に設けられた第１〜第５の温度センサ２１ｂ〜２５ｂのうち、台所４および衣室６に設けられた第２、第４の給排気型換気装置１４、１６の換気口の室外側に設けられた第３、第５の温度センサ２３ｂ、２５ｂで高い温度を検出する。これにより、制御装置９において、台所４および脱衣室６を環境の良い部屋に、廊下２、リビングルーム３および居室５を環境の悪い部屋に分類する。次に、前記分類を基に、実施の形態１０と同様に、第１〜第４の給排気型換気装置１１、１４、１５、１６の給気運転／排気運転、および第１の給気型換気装置１２と第１〜第３の排気型換気装置１３、１７、１８の運転／停止の設定を行う。前記運転設定を行った場合の給排気の様子を、図１４（ｂ）中の矢印（実線）で示す。前記運転設定を行うことにより、温度の高い外気を選択して室内へ供給することができ、外気による室温の低下を緩和することができ、暖房効率向上による省エネ性改善が可能である。
【００４３】
［実施の形態１２］
実施の形態１０では、ＶＯＣ濃度を検出するためにＶＯＣセンサを換気口の室外側に配置したが、本実施の形態では複数の換気口の室外側に、室外空気の湿度を監視し、室外湿度に応じた検出値を出力するように配置した湿度センサを備えたもので、高湿あるいは低湿の空気が室外から室内に給気されることを防ぎ、室内湿度の上昇あるいは低下を緩和することができる。
【００４４】
例えば、図１５を参照して説明する。高湿を防ぐ設定として、図１５に示すように、上方向の室外湿度が高い場合を考える。このとき、各換気口の室外側に設けられた第１〜第５の湿度センサ２１ｃ〜２５ｃのうち、台所４および脱衣室６の第２、第４の給排気型換気装置１４、１６の換気口の室外側に設けられた第３、第５の湿度センサ２３ｃ、２５ｃによって、高い湿度を検出する。これにより、制御装置９において、台所４および脱衣室６を環境の悪い部屋に、廊下２、リビングルーム３および居室５を環境の良い部屋に分類する。次に、前記分類を基に、実施の形態１０と同様に、第１〜第４の給排気型換気装置１１、１４、１５、１６の給気運転／排気運転、および第１の給気型換気装置１２と第１〜第３の排気型換気装置１３、１７、１８の運転／停止の設定を行う。前記運転設定を行った場合の給排気の様子を、図１５中の矢印（実線）で示す。前記運転設定を行うことにより、低湿の外気を室内に選択して給気することができ、外気による室内湿度の上昇を緩和することができ、高湿環境下でのカビの繁殖等を防ぐことができる。
【００４５】
［実施の形態１３］
実施の形態１０では、ＶＯＣ濃度を検出するためにＶＯＣセンサを換気口の室外側に配置したが、本実施の形態では複数の換気口の室外側に、室外空気の臭気を監視し、外気の臭気濃度に応じた検出値を出力するように配置した臭気センサを備えたもので、臭気濃度の高い空気が室外から室内に給気されることを防ぎ、室内環境をより快適に保つことができる。
【００４６】
例えば、図１６を参照して説明する。図１６に示すように、上方向の外気の臭気濃度が高い場合を考える。このとき、各換気口の室外側に設けられた第１〜第５の臭気センサ２１ｄ〜２５ｄのうち、台所４および脱衣室６に設けられた第２、第４の給排気型換気装置１４、１６の換気口の室外側に設けられた第３、第５の臭気センサ２３ｄ、２５ｄによって、高い臭気濃度を検出する。これにより、制御装置９において、台所４および脱衣室６を環境の悪い部屋に、廊下２、リビングルーム３および居室５を環境の良い部屋に分類する。次に、前記分類を基に、実施の形態１０と同様に、第１〜第４の給排気型換気装置１１、１４、１５、１６の給気運転／排気運転、および第１の給気型換気装置１２と第１〜第３の排気型換気装置１３、１７、１８の運転／停止の設定を行う。前記運転設定を行った場合の給排気の様子を、図１６中の矢印（実線）で示す。前記運転設定を行うことにより、臭気濃度の低い外気を室内に選択して給気することができ、外気による室内環境の汚染を防ぐことができる。
【００４７】
［実施の形態１４］
実施の形態１０では、ＶＯＣ濃度を検出するためにＶＯＣセンサを換気口の室外側に配置したが、本実施の形態では複数の換気口の室外側に、室外空気のＣＯ2 濃度を監視し、外気のＣＯ2 濃度に応じた検出値を出力するように配置したＣＯ2 センサを備えたもので、ＣＯ2 濃度の高い空気が室外から室内に給気されることを防ぎ、室内環境をより快適に保つことができる。
【００４８】
例えば、図１７を参照して説明する。図１７に示すように、上方向の外気のＣＯ2 濃度が高い場合を考える。このとき、各換気口の室外側に設けられた第１〜第５のＣＯ2 センサ２１ｅ〜２５ｅのうち、台所４および脱衣室６に設けられた第２、第４の給排気型換気装置１４、１６の換気口の室外側に設けられた第３、第５のＣＯ2 センサ２３ｅ、２５ｅによって、高いＣＯ2 濃度を検出する。これにより、制御装置９において、台所４および脱衣室６を環境の悪い部屋に、廊下２、リビングルーム３および居室５を環境の良い部屋に分類する。次に、前記分類を基に、実施の形態１０と同様に、第１〜第４の給排気型換気装置１１、１４、１５、１６の給気運転／排気運転、および第１の給気型換気装置１２と第１〜第３の排気型換気装置１３、１７、１８の運転／停止の設定を行う。前記運転設定を行った場合の給排気の様子を、図１７中の矢印（実線）で示す。前記運転設定を行うことにより、ＣＯ2 濃度の低い外気を選択して室内へ給気することができ、外気による室内環境の汚染を防ぐことができる。
【００４９】
［実施の形態１５］
実施の形態１０では、ＶＯＣ濃度を検出するためにＶＯＣセンサを換気口の室外側に配置したが、本実施の形態では複数の換気口の室外側に、室外空気のＣＯ等の有毒ガス濃度を監視し、外気の有毒ガス濃度に応じた検出値を出力するように配置した有毒ガスセンサを備えたもので、有毒ガス濃度の高い空気が室外から室内に給気されることを防ぎ、室内環境をより快適に保つことができる。
【００５０】
例えば、図１８を参照して説明する。図１８に示すように、上方向の外気の有毒ガス濃度が高い場合を考える。このとき、各換気口の室外側に設けられた第１〜第５の有毒ガスセンサ２１ｆ〜２５ｆのうち、台所４および脱衣室６に設けられた第２、第４の給排気型換気装置１４、１６の換気口の室外側に設けられた第３、第５の有毒ガスセンサ２３ｆ、２５ｆによって高い有毒ガス濃度を検出する。これにより、制御装置９において、台所４および脱衣室６を環境の悪い部屋に、廊下２、リビングルーム３および居室５を環境の良い部屋に分類する。次に、前記分類を基に、実施の形態１０と同様に、第１〜第４の給排気型換気装置１１、１４、１５、１６の給気運転／排気運転、および第１の給気型換気装置１２と第１〜第３の排気型換気装置１３、１７、１８の運転／停止の設定を行う。前記運転設定を行った場合の給排気の様子を、図１８中の矢印（実線）で示す。前記運転設定を行うことにより、有毒ガス濃度の低い外気を選択して室内へ給気することができ、外気による室内環境の悪化を防ぐことができる。
【００５１】
［実施の形態１６］
実施の形態１０では、ＶＯＣ濃度を検出するためにＶＯＣセンサを換気口の室外側に配置したが、本実施の形態では複数の換気口の室外側に、室外空気中に含まれる都市ガスやＬＰガスなどの可燃性ガス濃度を監視し、外気の可燃性ガス濃度に応じた検出値を出力するように配置した可燃性ガスセンサを備えたもので、可燃性ガス濃度の高い空気が室外から室内に給気されることを防ぎ、室内環境をより快適に保つことができる。
【００５２】
例えば、図１９を参照して説明する。図１９に示すように、上方向の外気の可燃性ガス濃度が高い場合を考える。このとき、各換気口の室外側に設けられた第１〜第５の可燃性ガスセンサ２１ｇ〜２５ｇのうち、台所４および脱衣室６に設けられた第２、第４の給排気型換気装置１４、１６の換気口の室外側に設けられた第３、第５の可燃性ガスセンサ２３ｇ、２５ｇによって、高い可燃性ガス濃度を検出する。これにより、制御装置９において、台所４および脱衣室６を環境の悪い部屋に、廊下２、リビングルーム３および居室５を環境の良い部屋に分類する。次に、前記分類を基に、実施の形態１０と同様に、第１〜第４の給排気型換気装置１１、１４、１５、１６の給気運転／排気運転、および第１の給気型換気装置１２と第１〜第３の排気型換気装置１３、１７、１８の運転／停止の設定を行う。前記運転設定を行った場合の給排気の様子を、図１９中の矢印（実線）で示す。前記運転設定を行うことにより、可燃性ガス濃度の低い外気を選択して室内へ給気することができ、外気による室内環境の悪化を防ぐことができる。
【００５３】
［実施の形態１７］
実施の形態１０では、ＶＯＣ濃度を検出するためにＶＯＣセンサを換気口の室外側に配置したが、本実施の形態では複数の換気口の室外側に、室外空気中に含まれる煙含有量を監視し、外気の煙含有量に応じた検出値を出力するように配置した煙センサを備えたもので、煙含有量の高い空気が室外から室内に給気されることを防ぎ、室内環境をより快適に保つことができる。
【００５４】
例えば、図２０を参照して説明する。図２０に示すように、上方向の外気の煙含有量が高い場合を考える。このとき、各換気口の室外側に設けられた第１〜第５の煙センサ２１ｈ〜２５ｈのうち、台所４および脱衣室６に設けられた第２、第４の給排気型換気装置１４、１６の換気口の室外側に設けられた第３、第５の煙センサ２３ｈ、２５ｈで高い煙含有量を検出する。これにより、制御装置９において、台所４および脱衣室６を環境の悪い部屋に、廊下２、リビングルーム３および居室５を環境の良い部屋に分類する。次に、前記分類を基に、実施の形態１０と同様に、第１〜第４の給排気型換気装置１１、１４、１５、１６の給気運転／排気運転、および第１の給気型換気装置１２と第１〜第３の排気型換気装置１３、１７、１８の運転／停止の設定を行う。前記運転設定を行った場合の給排気の様子を、図２０中の矢印（実線）で示す。前記運転設定を行うことにより、煙含有量の低い外気を選択して室内へ給気することができ、外気による室内環境の悪化を防ぐことができる。
【００５５】
［実施の形態１８］
実施の形態１０では、ＶＯＣ濃度を検出するためにＶＯＣセンサを換気口の室外側に配置したが、本実施の形態では、目的に応じて複数の換気口の室外側に実施の形態１０〜１７に記載の第１〜第５のＶＯＣセンサ２１ａ〜２５ａ、第１〜第５の温度センサ２１ｂ〜２５ｂ、第１〜第５の湿度センサ２１ｃ〜２５ｃ、第１〜第５の臭気センサ２１ｄ〜２５ｄ、第１〜第５のＣＯ2 センサ２１ｅ〜２５ｅ、第１〜第５の有毒ガスセンサ２１ｆ〜２５ｆ、第１〜第５の可燃性ガスセンサ２１ｇ〜２５ｇ、第１〜第５の煙センサ２１ｈ〜２５ｈの複数の組み合わせからなる複合センサを備えたもので、目的に反する空気が室外から室内に給気されることを防ぎ、室内環境をより快適に保持することができる。
【００５６】
例えば図２１を参照して、本実施の形態１８について説明する。本実施の形態１８では、第１〜第５の温度センサ２１ｂ〜２５ｂと、第１〜第５の湿度センサ２１ｃ〜２５ｃとを組み合わせた複合センサ２１〜２５を使用し、高温高湿の空気を取り込まないように設定した場合について考える。
このとき、各換気口の室外側に設けられた複合センサ２１〜２５のうち、台所４に設けられた第２の給排気型換気装置１４の換気口の室外側に設けられた複合センサ２３で高温高湿を検出し、脱衣室６に設けられた第４の給排気型換気装置１６の換気口の室外側に設けられた複合センサ２５で高温高湿を検出する。これにより、制御装置９において、台所４および脱衣室６を環境の悪い部屋に、廊下２、リビングルーム３および居室５を環境の良い部屋に分類する。次に、前記分類を基に、実施の形態１と同様に、第１〜第４の給排気型換気装置１１、１４、１５、１６の給気運転／排気運転、および第１の給気型換気装置１２と第１〜第３の排気型換気装置１３、１７、１８の運転／停止の設定を行う。前記運転設定を行った場合の給排気の様子を、図２１中の矢印（実線）で示す。前記運転設定を行うことにより、温度および湿度が低い外気を選択して室内へ給気することができ、外気による室内温度の上昇および室内湿度の上昇を防ぐことができる。
【図面の簡単な説明】
【００５７】
【図１】本発明の実施の形態１に係る換気システムを設置した気密住宅の間取りを示す説明図である。
【図２】図１の換気システムの電気的構成を示すブロック図である。
【図３】図１の換気システムの動作手順を示すフローチャートである。
【図４】図１の換気システムを用いた場合の作用説明図である。
【図５】本発明の実施の形態２に係る換気システムを用いた場合の作用説明図である。
【図６】本発明の実施の形態３に係る換気システムを用いた場合の作用説明図である。
【図７】本発明の実施の形態４に係る換気システムを用いた場合の作用説明図である。
【図８】本発明の実施の形態５に係る換気システムを用いた場合の作用説明図である。
【図９】本発明の実施の形態６に係る換気システムを用いた場合の作用説明図である。
【図１０】本発明の実施の形態７に係る換気システムを用いた場合の作用説明図である。
【図１１】本発明の実施の形態８に係る換気システムを用いた場合の作用説明図である。
【図１２】本発明の実施の形態９に係る換気システムを用いた場合の作用説明図である。
【図１３】本発明の実施の形態１０に係る換気システムを用いた場合の作用説明図である。
【図１４】本発明の実施の形態１１に係る換気システムを用いた場合の作用説明図である。
【図１５】本発明の実施の形態１２に係る換気システムを用いた場合の作用説明図である。
【図１６】本発明の実施の形態１３に係る換気システムを用いた場合の作用説明図である。
【図１７】本発明の実施の形態１４に係る換気システムを用いた場合の作用説明図である。
【図１８】本発明の実施の形態１５に係る換気システムを用いた場合の作用説明図である。
【図１９】本発明の実施の形態１６に係る換気システムを用いた場合の作用説明図である。
【図２０】本発明の実施の形態１７に係る換気システムを用いた場合の作用説明図である。
【図２１】本発明の実施の形態１８に係る換気システムを用いた場合の作用説明図である。
【符号の説明】
【００５８】
１  玄関、２  廊下、３  リビングルーム、４  台所、５  居室、６  脱衣室、７  浴室、８  トイレ、９  制御装置、１１、１４、１５、１６  第１〜第４の給排気型換気装置、１２  第１の給気型換気装置、１３、１７、１８  第１〜第３の排気型換気装置、２１ａ〜２５ａ  第１〜第５のＶＯＣセンサ、２１ｂ〜２５ｂ  第１〜第５の温度センサ、２１ｃ〜２５ｃ  第１〜第５の湿度センサ、２１ｄ〜２５ｄ  第１〜第５の臭気センサ、  ２１ｅ〜２５ｅ  第１〜第５のＣＯ2 臭気センサ、２１ｆ〜２５ｆ  第１〜第５の有毒ガスセンサ、２１ｇ〜２５ｇ  第１〜第５の可燃性ガスセンサ、２１ｈ〜２５ｈ  第１〜第５の煙センサ、２１〜２５  第１〜第５の複合センサ。
【図１】
2005201592.tif 000003
【図２】
2005201592.tif 000004
【図３】
2005201592.tif 000005
【図４】
2005201592.tif 000006
【図５】
2005201592.tif 000007
【図６】
2005201592.tif 000008
【図７】
2005201592.tif 000009
【図８】
2005201592.tif 000010
【図９】
2005201592.tif 000011
【図１０】
2005201592.tif 000012
【図１１】
2005201592.tif 000013
【図１２】
2005201592.tif 000014
【図１３】
2005201592.tif 000015
【図１４】
2005201592.tif 000016
【図１５】
2005201592.tif 000017
【図１６】
2005201592.tif 000018
【図１７】
2005201592.tif 000019
【図１８】
2005201592.tif 000020
【図１９】
2005201592.tif 000021
【図２０】
2005201592.tif 000022
【図２１】
2005201592.tif 000023